(57)【要約】      （修正有）【課題】液晶表示モジュールを均一な輝度で光照射可能な光源装置、およびこれを備える表示装置を提供すること。【解決手段】光源装置１１０は、リアベゼル１２０、フロントカバー１８０、光源基板１４０および光拡散板１７０を備える。複数の発光ダイオード１４２は、光源基板上に位置する。フロントカバー１８０は、リアベゼル上に位置し、リアベゼル１２０と重なる。光源基板１４０、および光拡散板１７０はリアベゼル１２０とフロントカバー１８０の間に収容される。光拡散板１７０は、複数の発光ダイオード上に位置し、複数の発光ダイオード１４２から離隔する。リアベゼル１２０とフロントカバー１８０が有する側板１８０ａ〜１８０ｄの少なくとも一方において、底板１８０ｅと重なる突出部を形成するように側板の一部が屈曲する。光拡散板は、突出部の上に位置し、突出部と重なる。【選択図】図２
2020174011.tif 000002
【特許請求の範囲】
【請求項１】
リアベゼル、
前記リアベゼル上に位置し、前記リアベゼルと重なるフロントカバー、
前記リアベゼルと前記フロントカバーの間に収容される光源基板、複数の発光ダイオード、および光拡散板を備え、
前記複数の発光ダイオードは前記光源基板上に位置し、
前記光拡散板は前記複数の発光ダイオード上に位置し、前記複数の発光ダイオードと重なり、前記複数の発光ダイオードから離隔し、
前記リアベゼルと前記フロントカバーはいずれも底板、および前記底板と一体化される側板を有し、
前記リアベゼルと前記フロントカバーの前記側板の少なくとも一方において、前記側板は、前記底板と重なる突出部を形成するように一部が屈曲し、
前記光拡散板は前記突出部の上に位置し、前記突出部と重なる光源装置。
【請求項２】
前記突出部の上面は、前記リアベゼルまたは前記フロントカバーの底板に対して平行である、請求項１に記載の光源装置。
【請求項３】
前記突出部と一体化される前記側板は、前記突出部と連続し、前記突出部を挟む一対の平坦部を有し、
前記突出部と一体化される前記側板は、前記一対の平坦部の間に切り欠きまたは開口を有する、請求項１に記載の光源装置。
【請求項４】
前記突出部は前記リアベゼルの前記側板に設けられ、
前記突出部の厚さは、前記リアベゼルの前記側板の厚さと同一である、請求項１に記載の光源装置。
【請求項５】
前記突出部は前記リアベゼルの前記側板に設けられ、
前記切り欠きまたは前記開口は、前記突出部よりも上に位置する、請求項３に記載の光源装置。
【請求項６】
前記突出部は前記リアベゼルの前記側板に設けられ、
前記切り欠きまたは前記開口は、前記突出部よりも下に位置する、請求項３に記載の光源装置。
【請求項７】
前記突出部は前記リアベゼルの前記側板に設けられ、
前記フロントカバーの前記側板は、前記切り欠き、または前記開口の少なくとも一部を露出する、請求項３に記載の光源装置。
【請求項８】
前記突出部は前記リアベゼルの前記側板に設けられ、
前記突出部の上面の面積は、前記切り欠き、または前記開口の面積と実質的に同一である、請求項３に記載の光源装置。
【請求項９】
前記突出部は前記リアベゼルの前記側板に設けられ、
前記リアベゼルの外側において、前記リアベゼルの底板は前記突出部から露出する、請求項１に記載の光源装置。
【請求項１０】
前記突出部は、前記リアベゼルの底面に平行な面において曲線形状を有する、請求項９に記載の光源装置。
【請求項１１】
前記突出部は、前記リアベゼルの底面に平行な面において複数の直線部を有する、請求項９に記載の光源装置。
【請求項１２】
前記突出部は前記フロントカバーに設けられ、
前記突出部の厚さは、前記リアベゼルの前記側板の厚さと同一である、請求項１に記載の光源装置。
【請求項１３】
前記突出部は前記フロントカバーの前記側板に設けられ、
前記切り欠きまたは前記開口は、前記突出部よりも上に位置する、請求項３に記載の光源装置。
【請求項１４】
前記突出部は前記フロントカバーの前記側板に設けられ、
前記切り欠きまたは前記開口は、前記突出部よりも下に位置する、請求項３に記載の光源装置。
【請求項１５】
前記突出部は前記フロントカバーの前記側板に設けられ、
前記リアベゼルの前記側板は、前記切り欠き、または前記開口の少なくとも一部を露出する、請求項３に記載の光源装置。
【請求項１６】
前記突出部は前記フロントカバーの前記側板に設けられ、
前記突出部の上面の面積は、前記切り欠き、または前記開口の面積と実質的に同一である、請求項３に記載の光源装置。
【請求項１７】
前記リアベゼルは前記フロントカバー内に収容される、請求項１に記載の光源装置。
【請求項１８】
前記フロントカバーは前記リアベゼル内に収容される、請求項１に記載の光源装置。
【請求項１９】
前記リアベゼルと前記フロントカバーの前記側板はそれぞれ、一対のスリットを有し、
前記リアベゼルは、前記一対のスリットの間で前記側板の一部が屈曲してフラップを形成し、
前記フロントカバーは、前記一対のスリットの間で前記側板の一部が屈曲してフラップを形成し、
前記リアベゼルのフラップは前記フロントカバーに収容され、前記フロントカバーのフラップは前記リアベゼルに収容される、請求項１８に記載の光源装置。
【請求項２０】
底板、および底板と一体化される第１から第４の側板を有するリアベゼル、
前記リアベゼル内に位置する一対のスペーサ、
前記リアベゼル内に収容され、前記一対のスペーサに挟まれる光源基板、
前記光源基板上の複数の発光ダイオード、および
前記一対のスペーサと前記複数の発光ダイオード上に位置する光拡散板を備え、
前記一対のスペーサは、光拡散板の厚さよりも大きな高さを有する光源装置。
【発明の詳細な説明】
【技術分野】
【０００１】
本発明は液晶モジュール用光源装置、および光源装置を備える表示装置に関する。
【背景技術】
【０００２】
現在最も汎用されている表示装置の一つとして液晶表示装置が挙げられる。液晶表示装置は、光源装置（バックライト）、光源装置上に配置される液晶表示モジュールを基本構成として有している。光源装置の光源としては、冷陰極管や無機化合物を発光体として含む発光ダイオード（ＬＥＤ）が用いられる。例えば特許文献１から３では、複数の発光ダイオードが液晶表示モジュールと重なるように配置された光源装置を備える液晶表示装置が開示されている。
【先行技術文献】
【特許文献】
【０００３】
【特許文献１】特開２０１３−１４３２４０号公報
【特許文献２】特開２０１７−１７３７８５号公報
【特許文献３】特開２０１２−１０４７３１号公報
【発明の概要】
【発明が解決しようとする課題】
【０００４】
本発明に係る実施形態の一つは、液晶表示モジュールを均一な輝度で光照射可能な光源装置、およびこれを備える表示装置を提供することを課題の一つとする。あるいは実施形態の一つは、額縁領域が狭く、デザイン性の高い液晶表示装置を提供することを課題の一つとする。
【課題を解決するための手段】
【０００５】
本発明の実施形態の一つは光源装置である。この光源装置はリアベゼル、フロントカバー、光源基板、複数の発光ダイオード、および光拡散板を備える。フロントカバーはリアベゼル上に位置し、リアベゼルと重なる。光源基板、複数の発光ダイオード、および光拡散板はリアベゼルとフロントカバーの間に収容される。複数の発光ダイオードは光源基板上に位置する。光拡散板は複数の発光ダイオード上に位置し、複数の発光ダイオードと重なり、複数の発光ダイオードから離隔する。リアベゼルとフロントカバーはいずれも底板、および前記底板と一体化される側板を有する。リアベゼルとフロントカバーの側板の少なくとも一方において、底板と重なる突出部を形成するように側板の一部が屈曲する。光拡散板は突出部の上に位置し、突出部と重なる。
【０００６】
本発明の実施形態の一つは光源装置である。この光源装置はリアベゼル、一対のスペーサ、光源基板、光源基板上の複数の発光ダイオード、および一対のスペーサと複数の発光ダイオード上の光拡散板を備える。リアベゼルは底板、および底板と一体化される第１から第４の側板を有する。一対のスペーサはリアベゼル内に位置する。光源基板はリアベゼル内に収容され、一対のスペーサに挟まれる。拡散板は一対のスペーサと複数の発光ダイオード上に位置する。一対のスペーサは、光拡散板が複数の発光ダイオードから離隔するような高さを有するように構成される。
【０００７】
本発明の実施形態の一つは表示装置である。この表示装置は光源装置、および光源装置上の液晶表示モジュールを備える。光源装置はリアベゼル、フロントカバー、光源基板、複数の発光ダイオード、および光拡散板を備える。フロントカバーはリアベゼル上に位置し、リアベゼルと重なる。光源基板、複数の発光ダイオード、および光拡散板はリアベゼルとフロントカバーの間に収容される。複数の発光ダイオードは光源基板上に位置する。光拡散板は複数の発光ダイオード上に位置し、複数の発光ダイオードと重なり、複数の発光ダイオードから離隔する。リアベゼルとフロントカバーはいずれも底板、および前記底板と一体化される側板を有する。リアベゼルとフロントカバーの側板の少なくとも一方において、底板と重なる突出部を形成するように側板の一部が屈曲する。光拡散板は突出部の上に位置し、突出部と重なる。
【０００８】
本発明の実施形態の一つは表示装置である。この表示装置は光源装置、および光源装置上の液晶表示モジュールを備える。光源装置はリアベゼル、一対のスペーサ、光源基板、光源基板上の複数の発光ダイオード、および一対のスペーサと複数の発光ダイオード上の光拡散板を備える。リアベゼルは底板、および底板と一体化される第１から第４の側板を有する。一対のスペーサはリアベゼル内に位置し、Ｕ字形状の断面を有する。光源基板はリアベゼル内に収容され、一対のスペーサに挟まれる。拡散板は一対のスペーサと複数の発光ダイオード上に位置する。一対のスペーサは、光拡散板が複数の発光ダイオードから離隔するような高さを有するように構成される。
【図面の簡単な説明】
【０００９】
【図１】本発明の一実施形態に係る表示装置の模式的展開図。
【図２】本発明の一実施形態に係る光源装置の模式的展開図。
【図３】本発明の一実施形態に係る光源装置の模式的断面図。
【図４】本発明の一実施形態に係る光源装置の模式的斜視図と上面図。
【図５】本発明の一実施形態に係る光源装置の模式的斜視図、および突出部１２０ｇを形成する方法を示す模式的斜視図。
【図６】本発明の一実施形態に係る光源装置の模式的側面図と断面図。
【図７】本発明の一実施形態に係る光源装置の模式的断面図。
【図８】本発明の一実施形態に係る光源装置の模式的斜視図と上面図。
【図９】本発明の一実施形態に係る光源装置の模式的斜視図と側面図。
【図１０】本発明の一実施形態に係る光源装置の模式的断面図。
【図１１】本発明の一実施形態に係る光源装置の模式的斜視図と上面図。
【図１２】本発明の一実施形態に係る光源装置の模式的側面図と断面図。
【図１３】本発明の一実施形態に係る光源装置の突出部を中心とする側板の模式的上面図。
【図１４】本発明の一実施形態に係る光源装置の模式的斜視図。
【図１５】本発明の一実施形態に係る光源装置の模式的上面図。
【図１６】本発明の一実施形態に係る光源装置の模式的側面図と断面図。
【図１７】本発明の一実施形態に係る光源装置の模式的斜視図と上面図。
【図１８】本発明の一実施形態に係る光源装置の模式的斜視図と上面図。
【図１９】本発明の一実施形態に係る光源装置の模式的斜視図と上面図。
【図２０】本発明の一実施形態に係る光源装置の模式的断面図。
【発明を実施するための形態】
【００１０】
以下、本発明の各実施形態について、図面等を参照しつつ説明する。但し、本発明は、その要旨を逸脱しない範囲において様々な態様で実施することができ、以下に例示する実施形態の記載内容に限定して解釈されるものではない。
【００１１】
図面は、説明をより明確にするため、実際の態様に比べ、各部の幅、厚さ、形状等について模式的に表される場合があるが、あくまで一例であって、本発明の解釈を限定するものではない。本明細書と各図において、既出の図に関して説明したものと同様の機能を備えた要素には、同一の符号を付して、重複する説明を省略することがある。
【００１２】
本明細書および請求項において、ある構造体の上に他の構造体を配置する態様を表現するにあたり、単に「上に」と表記する場合、特に断りの無い限りは、ある構造体に接するように、直上に他の構造体を配置する場合と、ある構造体の上方に、さらに別の構造体を介して他の構造体を配置する場合との両方を含むものとする。
【００１３】
本明細書および請求項において、「ある構造体が他の構造体から露出するという」という表現は、ある構造体の一部が他の構造体によって直接または間接的に覆われていない態様を意味し、他の構造体によって覆われていないこの部分は、さらに別の構造体によって直接または間接的に覆われる態様も含む。
【００１４】
本明細書および請求項において、複数の要素が一体化されるとは、複数の要素は互いに厚さや形状、方向などが異なり異なる機能を有するが、これらは一つの部材から形成されることを意味する。したがって一体化された複数の要素は、互いに同一の材料を含み、同一の組成を有する。
【００１５】
＜第１実施形態＞
本実施形態では、本発明の実施形態の一つに係る光源装置１１０、および光源装置１１０を備える表示装置１００について説明する。
【００１６】
１．全体構成
表示装置１００の全体構成を図１の模式的な展開図を用いて説明する。表示装置１００は光源装置１１０、および光源装置１１０と重なるように設けられる液晶表示モジュール２００を基本的な構成として有する。任意の構成として、表示装置１００は液晶表示モジュール２００上のタッチセンサ２２０を備えてもよい。
【００１７】
液晶表示モジュール２００はアレイ基板２０２、アレイ基板２０２上の対向基板２１４、アレイ基板２０２と対向基板２１４を挟持する一対の偏光板２１６、２１８、およびアレイ基板２０２と対向基板２１４の間に挟まれる液晶層（図示しない）を有する。アレイ基板２０２上にはパターニングされた種々の導電膜、絶縁膜、半導体膜が積層され、これらが適宜配置されることで複数の画素２０４や画素２０４を駆動するための駆動回路（走査線駆動回路２０８、信号線駆動回路２１０）、複数の端子２１２などが形成される。複数の画素２０４によって表示領域２０６が形成される。表示領域２０６以外の領域は額縁領域と呼ばれる。
【００１８】
一対の偏光板２１６、２１８は表示領域２０６と重なるように配置される。端子２１２を介して外部回路（図示しない）から映像信号を含む種々の信号、および電源が液晶表示モジュール２００に供給され、これらの信号や電源によって駆動回路が動作する。駆動回路は画素２０４を制御し、これによって画素２０４上の液晶層に含まれる液晶分子の配向が制御され、光源装置１１０からの光の階調が画素ごとに制御される。
【００１９】
任意の構成であるタッチセンサ２２０は、表示領域２０６と重なるように配置される。タッチセンサ２２０の構成に制限はないが、図１に示すように、例えば静電容量方式のタッチセンサをタッチセンサ２２０として用いることができる。この場合タッチセンサ２２０は、一方向（例えば表示領域２０６の長辺方向）に延伸する複数の第１のタッチ電極２２２、第１のタッチ電極と交差する複数の第２のタッチ電極２２４、およびこれらを互いに電気的に絶縁する絶縁膜（図示しない）によって構成される。第１のタッチ電極２２２、第２のタッチ電極２２４、および絶縁膜によって容量が形成され、たとえばユーザが指などでタッチセンサ２２０をタッチした際に容量が変化する。この容量変化を検出することでタッチの有無を判断し、かつ、その位置（座標）を特定することができ、これによりユーザは種々の命令を表示装置１００に対して入力することができる。なお、図１では光源装置１１０や液晶表示モジュール２００、タッチセンサ２２０は離隔するように描かれているが、これらは互いに接着層や筐体などを用いて固定される。
【００２０】
２．光源装置
図２に光源装置１１０の模式的な展開図を示す。光源装置１１０は、リアベゼル１２０、およびリアベゼル１２０と噛み合うように構成されるフロントカバー１８０を有し、これらの間に光源基板１４０、光源基板１４０上の光拡散板１７０、光拡散板１７０上のプリズムシート１７４、およびプリズムシート１７４上の反射型偏光板１７６が配置される。光源基板１４０上には複数の発光ダイオード１４２が配置される。
【００２１】
２−１．リアベゼルとフロントカバー
リアベゼル１２０とフロントカバー１８０は、光源装置１１０を構成する光源基板１４０や光拡散板１７０、プリズムシート１７４、反射型偏光板１７６などを収容する。図２に示すように、リアベゼル１２０は側板１２０ａから１２０ｄを備え、さらに互いに対向する一対の側板（例えば側板１２０ａと１２０ｂの対、あるいは側板１２０ｃと１２０ｄの対）の間に位置する底板１２０ｅを有する。底板１２０ｅは側板１２０ａから１２０ｄと一体化されている。側板１２０ａから１２０ｄは底板１２０ｅの上面に対して垂直に配置することが好ましい。これにより、発光ダイオード１４２からの光を効率よく利用して液晶表示モジュール２００に供給することができる。リアベゼル１２０はフロントカバー１８０と噛み合い、これにより光源基板１４０や光拡散板１７０、プリズムシート１７４、反射型偏光板１７６などが固定される。リアベゼル１２０には一つ、あるいは複数の開口１２０ｆが設けられ、この開口１２０ｆを介して発光ダイオード１４２へ電源が供給される。
【００２２】
図２に示すように、フロントカバー１８０も同様に側板１８０ａから１８０ｄを備える（図２では、側板１８０ａは底板１８０ｅに遮られるため、図示されない）。フロントカバー１８０はさらに、互いに対向する一対の側板（例えば側板１８０ａと１８０ｂの対、あるいは側板１８０ｃと１８０ｄの対）の間に位置する底板１８０ｅを有する。底板１８０ｅは側板１８０ａから１８０ｄと一体化されている。側板１８０ａから１８０ｄも底板１８０ｅの上面に対して垂直に配置することが好ましい。これにより、発光ダイオード１４２からの光を効率よく利用して液晶表示モジュール２００に供給することができるだけでなく、額縁領域の面積を小さくすることができる。底板１８０ｅには開口１８０ｆが設けられ、この開口１８０ｆを介して発光ダイオード１４２からの光が液晶表示モジュール２００へ供給される。なお、フロントカバー１８０は底板１８０ｅが上側に位置するように配置されるため、底板１８０ｅは天板として機能するが、以下では底板１８０ｅとして記述する。
【００２３】
リアベゼル１２０とフロントカバー１８０は、アルミニウムや銅、ステンレスなどの金属を含む。例えば厚さが１ｍｍ以上３ｍｍ以下あるいは１ｍｍ以上２ｍｍ以下の金属プレートを切削加工、プレス加工することでリアベゼル１２０を形成することができる。フロントカバー１８０の厚さはリアベゼル１２０のそれと異なってもよい。例えば０．１ｍｍ以上１ｍｍ以下あるいは０．１ｍｍ以上０．５ｍｍ以下の金属板を切削加工、プレス加工することでフロントカバー１８０を形成すればよい。
【００２４】
なお、リアベゼル１２０やフロントカバー１８０の底板１２０ｅ、１８０ｅは必ずしも平坦な形状を有する必要は無く、曲面形状を有していてもよい。この場合、光源基板１４０や光拡散板１７０、プリズムシート１７４などもこの曲面形状に合致するように構成される。
【００２５】
２−２．光源基板と発光ダイオード
表示領域２０６における光源装置１１０の模式的断面図を図３（Ａ）に示す。上述したように光源基板１４０はリアベゼル１２０内に収容される。光源基板１４０はリアベゼル１２０と接してもよい。
【００２６】
複数の発光ダイオード１４２は光源基板１４０の上に配置され、表示領域２０６と重なる。発光ダイオード１４２は例えば格子状に配置することができ、隣接する発光ダイオード１４２の間隔（ピッチ）も表示装置１００の大きさによって任意に設定することができる。例えばピッチは１ｍｍ以上２０ｍｍ以下、３ｍｍ以上１５ｍｍ以下、あるいは５ｍｍ以上１０ｍｍ以下の範囲から選択すればよい。表示領域２０６にわたって均一な輝度の光を供給するため、複数の発光ダイオード１４２は均等なピッチで配置されることが好ましい。
【００２７】
発光ダイオード１４２は、窒化ガリウム、インジウムを含む窒化ガリウムなどの無機発光体を一対の電極で挟持した発光素子、および発光素子を保護する保護膜を基本的な構造として有する発光素子であり、電界発光（Ｅｌｅｃｔｒｏｌｕｍｉｎｅｓｃｅｎｃｅ）によって発光するように構成される。無機発光体としては、例えば４００ｎｍから５３０ｎｍの間に発光ピークを与える無機化合物を選択することができる。このような発光ダイオード１４２では、青色の発光が保護膜を介して取り出される。あるいは保護膜中に色変換材料を分散させ、無機発光体からの光と色変換材料によってこの光が変換された光が混合されて白色の発光を与えるように構成された発光ダイオードを用いてもよい。
【００２８】
各発光ダイオード１４２の大きさに制約はなく、例えばそれぞれの占有面積が１．０×１０4μｍ2以上１．０×１０6μｍ2以下、４．０×１０4μｍ2以上５．０×１０5μｍ2以下、あるいは９．０×１０4μｍ2以上２．５×１０5μｍ2以下の発光ダイオードを用いることができる。一例として大きさが３２０μｍ×３００μｍ程度の所謂マイクロＬＥＤを発光ダイオード１４２として用いることができる。
【００２９】
光源装置１１０はさらに、発光ダイオード１４２を覆うようにオーバーコート１４４を有してもよい。オーバーコート１４４は光源基板１４０と接してもよい。オーバーコート１４４は発光ダイオード１４２を保護し、光源基板１４０から分離することを防ぐ機能を有するとともに、発光ダイオード１４２に起因する凹凸を吸収して平坦な表面を与える。また、発光ダイオード１４２は比較的指向性の高い光を与えるが、オーバーコート１４４により発光ダイオード１４２からの光を広げる、あるいは拡散させることができる。
【００３０】
オーバーコート１４４は可視光領域の透過率が高いことが好ましく、例えばアクリル系樹脂やポリカルボナート、あるいはポリエチレンテレフタレートなどのポリエステルに例示される高分子材料、あるいは酸化ケイ素などのケイ素含有無機化合物などを含むように形成される。オーバーコート１４４の厚さは任意に設定することができるが、発光ダイオード１４２を覆う程度の厚さが好ましい。例えばその厚さは、２００μｍ以上１ｍｍ以下、４００μｍ以上１ｍｍ以下、あるいは５００μｍ以上８００μｍ以下の範囲から選択すればよい。
【００３１】
２−３．光拡散板
光拡散板１７０は、発光ダイオード１４２からの光を拡散し、均一な発光面を与えるために設けられる。より具体的には、光拡散板１７０は可視光に対する透過率が高い高分子材料、およびこの高分子材料中に分散した拡散粒子を含む。高分子材料としては、ポリカルボナートやポリエステル、あるいはアクリル系樹脂を用いることができる。拡散粒子としては、炭酸カルシウム、硫酸バリウム、二酸化チタン、水酸化アルミニウム、酸化ケイ素、タルク、マイカ、ホワイトカーボン、酸化マグネシウム、あるいは酸化亜鉛などの無機化合物でも良く、ポリアクリル酸エステル、ポリメタクリル酸エステル、ポリスチレンなどを基本骨格として有する高分子材料でも良い。光拡散板１７０の厚さは、例えば０．５ｍｍ以上２ｍｍ以下、あるいは０．７５ｍｍ以上１．５ｍｍ以下の範囲から選択することができる。光拡散板１７０を配置することで指向性の高い発光ダイオード１４２からの光が効果的に拡散され、光拡散板１７０が配置される面内における輝度の分布が低下する。その結果、プリズムシート１７４に対して均一な輝度で光を提供することができる。
【００３２】
ここで、光拡散板１７０は発光ダイオード１４２から離隔され、これらの間に空隙１５０が形成されるように配置される。具体的には、光源基板１４０の上面から光拡散板１７０の底面までの距離（光学距離とも呼ばれる）が１ｍｍ以上３ｍｍ以下、あるいは１．５ｍｍ以上２．５ｍｍ以下となるように光拡散板１７０が配置される。したがって、光拡散板１７０と発光ダイオード１４２は直接接しない。光拡散板１７０を発光ダイオード１４２から離隔させるための構造については後述する。
【００３３】
任意の構成として、図３（Ｂ）に示すように、光拡散板１７０は光拡散層１７１と波長変換層１７２を含む積層構造を有してもよい。光拡散層１７１は上述した可視光に対する透過率が高い高分子材料、およびこの高分子材料中に分散した拡散粒子を含む。一方、波長変換層１７２は発光ダイオード１４２から出射した光の波長を変換して白色光を生成する機能を有する膜であり、高分子材料中に蛍光体が分散した構造を有する。光拡散層１７１と同様、高分子材料はポリカルボナートやポリエステル、アクリル樹脂などの可視光領域の透光性が高い材料から選択される。蛍光体は、発光ダイオード１４２から射出される青色の光を吸収し、緑から赤色の領域の蛍光、例えば黄色の蛍光を発する蛍光物質を含む。蛍光物質としては、例えばイットリウムとアルミニウムを含む酸化物が例示される。この酸化物には、セリウムやユーロピウム、ガドリニウム、テルビウム、ルテチウム、プラセオジムなどの希土類金属がさらに含まれていてもよい。あるいは、蛍光体に替わり、粒径が数ｎｍから数十ｎｍの量子ドットを用いてもよい。
【００３４】
波長変換層１７２は、別途作製した一つの独立膜として光拡散層１７１と積層してもよく、あるいは上述した高分子材料またはその前駆体、および蛍光体または量子ドットを含む分散液を光拡散層１７１の上に塗布し、その後硬化することで形成してもよい。光拡散層１７１と波長変換層１７２の上下関係に制約はなく、図３（Ｂ）に示すように光拡散層１７１が光源基板１４０と波長変換層１７２の間に位置してもよく、図示しないが波長変換層１７２が光拡散層１７１と波長変換層１７２の間に位置してもよい。
【００３５】
２−４．プリズムシート
プリズムシート１７４は、光拡散板１７０を通過した後の光を上方向、すなわち液晶表示モジュール２００側へ効率よく出射させるための光学フィルムであり、表面に複数のプリズム形状が平行に配置された構造を有する。プリズムシート１７４は単層構造を有していてもよく、あるいは表面に複数のプリズム形状を有するフィルムを二枚積層して構成してもよい。後者の場合、プリズムが延伸する方向が互いに交差するように二枚のフィルムを配置すればよい。プリズムシート１７４も可視光領域の透光性が高い材料であるアクリル樹脂やポリカルボナート、ポリエステルなどを含むことができる。
【００３６】
２−５．反射型偏光板
反射型偏光板１７６はプリズムシート１７４を透過した光のうち、偏光板２１６の偏光軸に平行な偏光を透過し、それ以外の光を反射する機能を有する。前者はフロントカバー１８０の開口１８０ｆから直線偏光として取り出されて液晶表示モジュール２００へ供給される。一方、後者はプリズムシート１７４側へ戻り、プリズムシート１７４から光源基板１４０の間で反射・屈折を繰り返すことで偏光軸が変化する。偏光軸が変化した光が再び反射型偏光板１７６に達すると、偏光板２１６の偏光軸に平行な偏光が選択的に反射型偏光板１７６を透過する。これを繰り返すことで、発光ダイオード１４２からの光の大部分を液晶表示モジュール２００へ供給することができ、表示装置１００の消費電力を低減することができる。
【００３７】
３．光拡散板の配置と発光ダイオードとの離隔
上述したように、光源装置１１０では、光拡散板１７０は発光ダイオード１４２から離隔し、これらの間に空隙１５０が形成されるように配置される。本実施形態では、このための構造がリアベゼル１２０とフロントカバー１８０の少なくとも一方に構築される。本実施形態に係る光源装置１１０のリアベゼル１２０、光源基板１４０、および光拡散板１７０を含む模式的な斜視図を図４（Ａ）に、リアベゼル１２０内に光源基板１４０とその上の発光ダイオード１４２が配置された状態の上面模式図を図４（Ｂ）に、図４（Ａ）の一部の拡大図を図５（Ａ）に示す。
【００３８】
図４（Ａ）に示すように、リアベゼル１２０の側板１２０ａから１２０ｄのうち少なくとも一対の側板には、それぞれ少なくとも一つの突出部１２０ｇが設けられる。より具体的には図５に示すように、側板（ここでは側板１２０ｄ）の一部は屈曲し、これにより側板は対向する側板（ここでは図４（Ａ）に示す側板１２０ｃ）に向けて延伸する突出部１２０ｇを有する。突出部１２０ｇは底板１２０ｅと重なる。突出部１２０ｇは底板１２０ｅの上面と平行、あるいは底板１２０ｅの上面に対して±３０°以下、±２０°以下、または±１０°以下の角度で傾くよう、対向する側板に向けて延伸する。
【００３９】
突出部１２０ｇは、底板１２０ｅの反対側から側板に一対のスリット１２４を形成し、一対のスリット１２４の間の部分を対向する側板方向、すなわち、リアベゼル１２０の内側に向けて屈曲させることで形成することができる（図５（Ｂ））。このため、突出部１２０ｇは側板と一体化しており、同一の材料を含み、同一の組成を有する。屈曲は光源基板１４０をリアベゼル１２０内に配置する前に行ってもよく、配置した後に行ってもよい。
【００４０】
上述した形成方法に起因し、一対のスリット１２４の間には切り欠き１２２が形成される。換言すると、側板は突出部１２０ｇと連続し、突出部１２０ｇを挟む一対の平坦部を有し、この一対の平坦部の間に切り欠き１２２を有する。切り欠き１２２は突出部１２０ｇの上に位置する。また、突出部１２０ｇの上面の面積は、切り欠き１２２の面積と実質的に同一となり、側板が延伸する方向の長さは切り欠き１２２と突出部１２０ｇ間で同一となる。さらに、突出部１２０ｇが対向する側板へ延びる方向の長さは、切り欠き１２２の高さと実質的に同一となる。また、突出部１２０ｇの厚さ（底板１２０ｅの法線方向の長さ）は、側板の幅（側板が延伸する方向に垂直、かつ、底板１２０ｅの上面に平行な方向の長さ）は互いに同一となる。
【００４１】
突出部１２０ｇの配置は任意に決定することができ、少なくとも対向する二つの側板にそれぞれ一つまたはそれ以上の突出部１２０ｇを配置すればよい。例えば対向する二つの側板に二つずつの突出部１２０ｇを配置してもよく、一つの側板に一つの突出部１２０ｇ、対向する側板に二つの突出部１２０ｇを配置してもよい。あるいは全ての側板に一つ、あるいは複数の突出部１２０ｇを形成してもよい。
【００４２】
フロントカバー１８０はリアベゼル１２０を収容するよう、リアベゼル１２０を覆う（図２参照）。図６（Ａ）にリアベゼル１２０がフロントカバー１８０内に収容された状態の模式的側面図を示す。フロントカバー１８０は切り欠き１２２の全てを覆うように構成されてもよく（図６（Ａ））、切り欠き１２２の一部を覆い、他の一部を露出するように構成してもよい（図６（Ｂ））。後者の場合、発光ダイオード１４２からの光が外部に漏れることを防ぐための遮光膜１２６を切り欠き１２２を覆うように設けてもよい（図６（Ｂ））。
【００４３】
図４（Ａ）、図４（Ｂ）、および図４（Ｂ）の鎖線Ａ−Ａ´、Ｂ−Ｂ´に沿った断面模式図（図６（Ｃ）、図６（Ｄ））に示すように、光源基板１４０、および光源基板１４０上に設けられる発光ダイオード１４２は、突出部１２０ｇと底板１２０ｅの間に配置される。光拡散板１７０やプリズムシート１７４、反射型偏光板１７６は突出部１２０ｇ上に配置され、突出部１２０ｇとフロントカバー１８０の間に挟持、固定される。突出部１２０ｇは、その高さｈ1（すなわち、突出部１２０ｇの上面と底板１２０ｅの上面間の距離）から光源基板１４０の厚さを減じた値が１ｍｍ以上３ｍｍ以下、あるいは１．５ｍｍ以上２．５ｍｍ以下となるように、スリット１２４の長さや側板の高さを調整することで形成される。
【００４４】
図６（Ｃ）の領域１３０の拡大図を図７（Ａ）から図７（Ｅ）に示す。図７（Ａ）に示すように、光源基板１４０は接着層（例えば接着剤や両面テープなど）１５２を用いて底板１２０ｅに固定される。突出部１２０ｇは発光ダイオード１４２と重ならないことが好ましい。この構成により、発光ダイオード１４２からの光を有効に利用することができる。光拡散板１７０は突出部１２０ｇと直接接してもよく（図７（Ａ））、あるいは図７（Ｃ）に示すように接着層１５４を介して突出部１２０ｇに固定されてもよい。波長変換層１７２と光拡散層１７１の積層を光拡散板１７０として設ける場合には、図７（Ｂ）に示すように波長変換層１７２が突出部１２０ｇに接するように設けてもよく、あるいは接着層を介して波長変換層１７２を突出部１２０ｇに固定し、その上に光拡散層１７１を配置してもよい。あるいは図７（Ｄ）に示すように、緩衝材１５６を突出部１２０ｇの上に設けてもよい。図示しないが、緩衝材１５６が光拡散層１７１または波長変換層１７２と接するように光源装置１１０を構成してもよい。緩衝材１５６はゴム弾性を示すエラストマーを含むことが好ましく、このような材料として、ポリシロキサン、ポリアクリレート、ポリメタクリレート、ポリアクリロニトリル、エポキシ樹脂、ポリブタジエン、ポリイソプレン、あるいはこれらを基本骨格として含有する共重合体などが例示される。緩衝材１５６を設けることで、光拡散板１７０の破損を防止することができる。あるいは図７（Ｅ）に示すように、光源基板１４０の一部が突出部１２０ｇと重なるように光源基板１４０を配置してもよい。この場合、スリット１２４が形成された状態のリアベゼル１２０に光源基板１４０を配置し、一対のスリット１２４の間の側板の一部を屈曲して突出部１２０ｇを形成すればよい。
【００４５】
上述したように光源装置１１０では、複数の発光ダイオード１４２が配置される光源基板１４０、光拡散板１７０、プリズムシート１７４、反射型偏光板１７６がリアベゼル１２０とフロントカバー１８０の間に収容され、互いに固定される。この光源装置１１０の上に液晶表示モジュール２００が配置され、表示装置１００を構成する。ここで、光源装置１１０内では、リアベゼル１２０の側板に、底板１２０ｅと重なり、底板１２０ｅ上に位置する突出部１２０ｇが形成され、光源基板１４０は底板１２０ｅと突出部１２０ｇの間に、光拡散板１７０は突出部１２０ｇの上に配置される。このため、光源基板１４０と光拡散板１７０の間に一定の間隔が与えられる。したがって、発光ダイオード１４２から指向性の高い光が照射されても、光源基板１４０と光拡散板１７０の間の空隙１５０で光が広がる。また、光がこの空隙１５０内で反射を繰り返すことで指向性がさらに低下する。その結果、光拡散板１７０の底面において輝度の高い領域（ホットスポット）の局所的な発生が抑制される。このように、光源基板１４０と光拡散板１７０の間の空隙１５０によって強度分布が低下した光が光拡散板１７０を通過すると、拡散粒子によって光がさらに散乱する。また、光拡散板１７０が波長変換層１７２を有する場合には、波長変換層１７２に含まれる蛍光体も光拡散に寄与することができる。このようなメカニズムにより、均一な輝度の光を波長変換層１７２やプリズムシート１７４へ入射することができる。このため、表示領域２０６に対して均一な輝度の光が提供され、表示装置１００は高品質な表示が可能となる。
【００４６】
さらに本実施形態の表示装置１００では、光源として機能する発光ダイオード１４２は表示領域２０６の下、すなわち光拡散板１７０の下に配置することができる。このため、光源を額縁領域に配置する構成と比較すると、光を液晶表示モジュール２００側へ反射させるための反射板を配置する必要がなくなり、光源装置を構成する部品数を低減することができる。このことは表示装置の薄型化に寄与する。さらに、額縁領域に光源を配置する必要がないため、額縁領域を小さくし、表示装置１００全体に対する表示領域２０６の面積を大きくすることが可能となる。このため、本実施形態を適用することで、デザイン性に優れた表示装置を提供することが可能となる。
【００４７】
＜第２実施形態＞
本実施形態では、リアベゼル１２０の変形例について説明する。第１実施形態で述べた構造と同様、あるいは類似する構造については説明を割愛することがある。
【００４８】
図８（Ａ）に本実施形態の光源装置１１０のリアベゼル１２０の模式的斜視図を、図８（Ｂ）にリアベゼル１２０に光源基板１４０と発光ダイオード１４２が配置された状態の模式的上面図を、図９（Ａ）にリアベゼル１２０の模式的側面図を示す。図８（Ａ）、図９（Ａ）から理解されるように、リアベゼル１２０の側板１２０ａから１２０ｄのうち少なくとも一つの側板の一部が屈曲し、これにより側板は開口１２８とともに、対向する側板に向けて延伸する突出部１２０ｇを有する。突出部１２０ｇは、Ｕ字形状のスリット１２４を形成し、Ｕ字形状の開口部を軸として側板の一部を屈曲することで形成することができる。したがって突出部１２０ｇは側板から連続して一体化しており、同一の材料を含み、同一の組成を有する。
【００４９】
突出部１２０ｇを中心とする拡大図を図９（Ａ）、図９（Ｂ）に示す。図９（Ａ）に示すように、突出部１２０ｇは開口１２８のバイザーとして開口１２８の上に位置してもよいが、図９（Ｂ）のように、開口１２８に対するトングとして開口１２８の下に位置するように設けてもよい。図９（Ａ）に示す例では、上述したＵ字形状のスリット１２４は開口部が上（底板１２０ｅとは反対側）を向くように形成すればよく、図９（Ｂ）に示す例ではＵ字形状のスリット１２４は開口部が下（底板１２０ｅ側）を向くように形成する。その後に側板のスリット１２４に囲まれる部分がリアベゼル１２０の内側に向くように側板の一部を屈曲することで突出部１２０ｇが形成される。
【００５０】
第１実施形態で述べた構成と同様、フロントカバー１８０は開口１２８の全体を覆うように構成してもよく（図９（Ｃ））、開口１２８の少なくとも一部を露出するように構成してもよい（図９（Ｄ））。後者の場合には、開口１２８を遮光膜１２６で覆うことで発光ダイオード１４２からの光が外部に漏れることを防止することができる。
【００５１】
図８（Ｂ）の鎖線Ｃ−Ｃ´、Ｄ−Ｄ´に沿った断面の模式図をそれぞれ図１０（Ａ）、図１０（Ｂ）に示す。第１実施形態と同様に、光源基板１４０はリアベゼル１２０内に配置される。光源基板１４０はリアベゼル１２０の底板１２０ｅに接着層１５２（図示しない）などを用いて固定される。光拡散板１７０やプリズムシート１７４、反射型偏光板１７６などは突出部１２０ｇの上面とフロントカバー１８０の間に挟持され、これらによって固定される。このため、光源基板１４０と光拡散板１７０の間に一定の間隔が与えられる。その結果、光源基板１４０と光拡散板１７０間の空隙１５０、および光拡散板１７０の光拡散能によって指向性の高い発光ダイオード１４２からの光が効果的に拡散され、第１実施形態で述べた効果を同様に発現することが可能である。
【００５２】
＜第３実施形態＞
本実施形態では、リアベゼル１２０の他の変形例について説明する。第１、第２実施形態で述べた構造と同様、あるいは類似する構造については説明を割愛することがある。
【００５３】
図１１（Ａ）にリアベゼル１２０とフロントカバー１８０の模式的な斜視図を、図１１（Ｂ）にリアベゼル１２０内に光源基板１４０と発光ダイオード１４２が収容された状態の模式的上面図を示す。図１２（Ａ）はリアベゼル１２０の模式的側面図であり、図１２（Ｂ）はさらにフロントカバー１８０が配置された状態の模式的側面図である。図１２（Ｃ）と図１２（Ｄ）にそれぞれ図１１（Ｂ）の鎖線Ｆ−Ｆ´、Ｇ−Ｇ´に沿った断面の模式図を示す。
【００５４】
図１１（Ａ）、図１２（Ａ）から理解されるように、本実施形態の光源装置１１０では、リアベゼル１２０の側板のうち少なくとも一対の側板にそれぞれ少なくとも一つの切り欠き１２２が設けられる。切り欠き１２２が設けられる側板では、側板の一部、より具体的には切り欠き１２２の下の部分は、リアベゼル１２０の外側では窪み、リアベゼル１２０の内部へ突出する突出部１２０ｇを有する（図１１（Ａ）、図１１（Ｂ））。さらにリアベゼル１２０の外側では、底板１２０ｅは突出部１２０ｇから露出する（図１１（Ｂ）、図１２（Ｃ）における領域１３２参照）。この露出した領域１３２はフロントカバー１８０と重なる（図１２（Ｃ））。突出部１２０ｇは底板１２０ｅと接してもよいが直接連続せず、当該突出部１２０ｇが設けられる側板を介して底板１２０ｅと一体化される。
【００５５】
切り欠き１２２と突出部１２０ｇは、少なくとも対向する二つの側板にそれぞれ一つずつ配置すればよい。例えば対向する二つの側板のそれぞれに二つの切り欠き１２２と二つの突出部１２０ｇを形成してもよく、一つの側板に一つの切り欠き１２２と突出部１２０ｇ、対向する側板に二つの切り欠き１２２と突出部１２０ｇを設けてもよい。あるいは全ての側板のそれぞれに一つ、あるいは複数の切り欠き１２２と突出部１２０ｇを形成してもよい。
【００５６】
図１１（Ｂ）に示すように、光源基板１４０は対向する側板に設けられる突出部１２０ｇに挟まれるようにリアベゼル１２０内に収容される。このため、リアベゼル１２０内において光源基板１４０の配置位置を突出部１２０ｇによって決定することができる。突出部１２０ｇ上に、突出部１２０ｇと重なるように光拡散板１７０などが配置される。図１１（Ａ）や図１２（Ｃ）に示すように、突出部１２０ｇはリアベゼル１２０の底板１２０ｅの上面と平行な平坦な上面を有する。この平坦な上面上に光拡散板１７０などを配置することで、これらの部材のみならずプリズムシート１７４や反射型偏光板１７６を安定的に保持し、かつ光拡散板１７０と光源基板１４０の間の空隙１５０を確保することができる。なお、第１実施形態と同様に、緩衝材１５６を突出部１２０ｇの上に設けてもよい（図７（Ｄ）参照）。
【００５７】
図１２（Ａ）、図１２（Ｃ）、図１２（Ｄ）から理解されるように、突出部１２０ｇの高さ（底板１２０ｅの法線方向における底板１２０ｅの上面から突出部１２０ｇの上面までの長さ）をｈ2とすると、光源基板１４０と光拡散板１７０間の距離は高さｈ2によって決まる。切り欠き１２２の高さ（底板１２０ｅの法線方向の切り欠き１２２の長さ）をｈ3とすると、側板の高さ（底板１２０ｅの法線方向における底板１２０ｅの上面から切り欠き１２２が存在しない部分の側板の上面までの長さ）ｈ4から高さｈ3を減じた値が高さｈ2となる。したがって、高さｈ2から光源基板１４０の厚さを減じた値が１ｍｍ以上３ｍｍ以下、あるいは１．５ｍｍ以上２．５ｍｍ以下の範囲になるよう、側板の高さｈ4に基づいて切り欠き１２２の高さｈ3が調整される。
【００５８】
第１、第２実施形態の光源装置１１０と同様、フロントカバー１８０も切り欠き１２２の全体を覆うように構成してもよく（図１２（Ｂ））、図示しないが切り欠き１２２の全て、あるいは一部を露出するように構成してもよい。後者の場合、遮光膜１２６によって切り欠き１２２が覆われる（図６（Ｂ）参照）。
【００５９】
突出部１２０ｇを含む側板の上面拡大模式図を図１３（Ａ）から図１３（Ｄ）に示す。突出部１２０ｇの形状に制約はなく、底板１２０ｅの上面に平行な面において突出部１２０ｇは直線部と複数の屈曲部を含んでもよい（図１３（Ａ）、図１３（Ｂ））。この場合、直線部は側板が延伸する方向（図１３（Ａ）中の矢印の方向）と平行でもよく、傾いていてもよい。突出部１２０ｇはこの面内において複数の直線部と単一の屈曲部から構成されていてもよい（図１３（Ｃ））。あるいはこの面内において曲線部を含んでもよい（図１３（Ｄ））。
【００６０】
本実施形態においても、突出部１２０ｇによって光源基板１４０と光拡散板１７０との間に空隙１５０が形成され、発光ダイオード１４２からの光をこの空隙１５０内で広げることができる。この効果が光拡散板１７０による光の拡散の寄与とみ合わされることで、均一な輝度の光をプリズムシート１７４へ入射することができる。その結果、表示領域２０６に対して均一な輝度の光が提供され、表示装置１００は高品質な表示が可能となる。
【００６１】
＜第４実施形態＞
第１から第３実施形態では、リアベゼル１２０に突出部１２０ｇが形成される態様を説明したが、本実施形態では、リアベゼル１２０ではなくフロントカバー１８０に突出部を設ける態様について説明する。第１から第３実施形態で述べた構造と同様、あるいは類似する構造については説明を割愛することがある。
【００６２】
１．リアベゼル
図１４（Ａ）にリアベゼル１２０とフロントカバー１８０の模式的斜視図を示す。第１実施形態で述べた態様と同様に、リアベゼル１２０は側板１２０ａから１２０ｄを備え、互いに対向する一対の側板（例えば側板１２０ａと１２０ｂの対、あるいは側板１２０ｃと１２０ｄの対）の間に位置する底板１２０ｅをさらに有する。底板１２０ｅは側板１２０ａから１２０ｄと一体化されている。側板の少なくとも一つにはさらに、フロントカバー１８０をリアベゼル１２０に固定するための構造として、フラップ１２０ｈが設けられる。突出部１２０ｇと同様、フラップ１２０ｈも側板に一対のスリット１２４を形成し、一対のスリット１２４の間をリアベゼル１２０の内側に向けて側板の一部を屈曲させることで形成することができる。突出部１２０ｇと異なりフラップ１２０ｈは、その上面は底板１２０ｅと平行である必要は無く、底板１２０ｅに対して６０°以上９０°未満、７５°以上９０°未満、あるいは８０°以上９０°未満となるように構成してもよい。
【００６３】
フラップ１２０ｈの数と配置は任意に決定することができ、少なくとも一つの側板に設ければよく、あるいは対向する二つの側板にそれぞれ一つ以上の突出部１２０ｇを配置してもよい。例えば対向する二つの側板に二つずつのフラップ１２０ｈを配置してもよく、一つの側板に一つのフラップ１２０ｈ、対向する側板に二つのフラップ１２０ｈを配置してもよい。あるいは全ての側板のそれぞれに一つ、あるいは複数のフラップ１２０ｈを形成してもよい。
【００６４】
２．フロントカバー
第１実施形態で述べた態様と同様に、フロントカバー１８０も側板１８０ａから１８０ｄ、および互いに対向する一対の側板の間に位置する底板１８０ｅを有する。底板１８０ｅは側板１８０ａから１８０ｄと一体化されている。
【００６５】
フロントカバー１８０の少なくとも一つの側板には、突出部１２０ｇと同様の構造を有する突出部１８０ｇが少なくとも一つ設けられる。すなわち、図１４（Ａ）の一部の拡大図（図１４（Ｂ））に示すように、側板の一部は屈曲し、これにより側板は切り欠き１２２とともに、対向する側板（ここでは図１４（Ａ）に示す側板１８０ｃ）に向けて延伸する突出部１８０ｇを有する。突出部１８０ｇは、リアベゼル１２０の底板１２０ｅと重なる。突出部１８０ｇは底板１２０ｅの上面と平行、あるいは底板１２０ｅの上面に対して±３０°以下、±２０°以下、あるいは±１０°以下の角度で傾くよう、対向する側板に向けて延伸する。
【００６６】
図示しないが、第１、第２実施形態におけるリアベゼル１２０の突出部１２０ｇと同様、突出部１８０ｇも底板１８０ｅの反対側から側板に一対のスリット１２４を形成し、スリット間の部分が対向する側板方向、すなわち、フロントカバー１８０の内側に向かうように側板の一部を屈曲させることで形成することができる。後述するように、本実施形態では光拡散板１７０やプリズムシート１７４、反射型偏光板１７６などはフロントカバー１８０に収容される。このため、これらの部材を安定的に固定するため、屈曲は光拡散板１７０やプリズムシート１７４、反射型偏光板１７６をフロントカバー１８０内に配置した後に行えばよい。
【００６７】
この形成方法に起因し、フロントカバー１８０の突出部１８０ｇはその側板と一体化しており、同一の材料を含み、同一の組成を有する。また、突出部１８０ｇの上面の面積は、切り欠き１２２の面積と実質的に同一となり、側板が延伸する方向の長さは切り欠き１２２と突出部１８０ｇ間で同一となる。さらに、突出部１８０ｇが対向する側板へ延びる方向の長さは、切り欠き１２２の高さと実質的に同一となる。また、突出部１８０ｇの厚さ（底板１８０ｅの法線方向の長さ）、および側板の幅（側板が延伸する方向に垂直、かつ、底板１８０ｅに平行な長さ）は互いに同一となる。
【００６８】
図１４（Ａ）、図１４（Ｂ）に示した例では、側板は突出部１８０ｇの下に切り欠き１２２を有するが、フロントカバー１８０の構造はこれに限られず、例えば図１４（Ｃ）に示すように、側板に開口１２８を設け、その上に突出部１８０ｇを設けてもよい。
【００６９】
突出部１２０ｇと同様、突出部１８０ｇの数や配置も任意に決定することができ、少なくとも対向する二つの側板にそれぞれ一つ以上の突出部１８０ｇを配置すればよい。例えば対向する二つの側板に二つずつの突出部１８０ｇを配置してもよく、一つの側板に一つの突出部１８０ｇ、対向する側板に二つの突出部１８０ｇを配置してもよい。あるいは全ての側板のそれぞれに一つ、あるいは複数の突出部１８０ｇを形成してもよい。
【００７０】
リアベゼル１２０と同様、フロントカバー１８０にはさらに、リアベゼル１２０をフロントカバー１８０に固定するための構造として、フラップ１８０ｈが設けられる（図１２（Ａ））。突出部１２０ｇ、１８０ｇと同様、フラップ１８０ｈも側板に一対のスリット１２４を形成し、一対のスリット１２４の間がフロントカバー１８０の外側に向かうように側板の一部を屈曲させることで形成することができる。突出部１８０ｇと異なりフラップ１８０ｈは、その上面は底板１８０ｅと平行である必要は無く、底板１８０ｅに対して６０°以上９０°未満、７５°以上９０°未満、あるいは８０°以上９０°未満となるように構成してもよい。
【００７１】
フラップ１８０ｈは、リアベゼル１２０のフラップ１２０ｈと重なる位置に設けられる。したがって、フラップ１８０ｈの位置と数はフラップ１２０ｈのそれらと同一となる。
【００７２】
リアベゼル１２０の上面模式図を図１５（Ａ）に、リアベゼル１２０とフロントカバー１８０の上面模式図を図１５（Ｂ）に示す。図１５（Ｂ）には、光拡散板１７０の配置が二点鎖線で示されている。これらの図から理解されるように、フロントカバー１８０がリアベゼル１２０内に収容される。フラップ１２０ｈとフラップ１８０ｈは互いに噛み合い、これによってリアベゼル１２０とフロントカバー１８０が固定される。具体的には、フロントカバー１８０がリアベゼル１２０内に収容された状態の側面図（図１６（Ａ））、およびリアベゼル１２０の内部からこの状態を観察した際に得られる図１６（Ａ）に対応する模式的側面図（１６（Ｂ））に示すように、リアベゼル１２０の側板のフラップ１２０ｈが設けられていない平坦部（例えば図１６（Ａ）において二点鎖線で囲まれた部分）はフロントカバー１８０の側板よりも外側に配置される。同時に、フラップ１２０ｈはフロントカバー１８０よりも内側に位置する（図１６（Ｂ））。一方、フロントカバー１８０のフラップ１８０ｈが設けられていない平坦部（例えば図１６（Ｂ）において二点鎖線で囲まれた部分）はリアベゼル１２０の側板よりも内側に配置されるが、フラップ１８０ｈはリアベゼル１２０よりも外側に位置する（図１６（Ａ））。これのようなメカニズムによってリアベゼル１２０とフロントカバー１８０が固定される。
【００７３】
３．光拡散板の配置と発光ダイオードとの離隔
図１５（Ｂ）の鎖線Ｈ−Ｈ´に沿った断面の模式図を図１６（Ｃ）に示す。図１５（Ｂ）、図１６（Ｃ）から理解されるように、光拡散板１７０やプリズムシート１７４、反射型偏光板１７６などはフロントカバー１８０の突出部１８０ｇと底板１８０ｅの間に固定される。したがって、側板に形成された一対のスリット１２４の間の部分を屈曲する前にこれらの部材を配置し、その後、スリット１２４の間の側板の一部を屈曲して突出部１８０ｇを形成すればよい。
【００７４】
突出部１８０ｇは、リアベゼル１２０とフロントカバー１８０が噛み合わされた状態において、突出部１８０ｇの上面と光源基板１４０の上面間の距離が１ｍｍ以上３ｍｍ以下、あるいは１．５ｍｍ以上２．５ｍｍ以下の範囲になるように形成される。これにより、光源基板１４０と光拡散板１７０との間に空隙１５０が形成され、発光ダイオード１４２からの光をこの空隙１５０内で広げることができる。この効果が光拡散板１７０による光の拡散の寄与とみ合わされることで、均一な輝度の光をプリズムシート１７４へ入射することができる。その結果、表示領域２０６に対して均一な輝度の光が提供され、表示装置１００は高品質な表示が可能となる。
【００７５】
＜第５実施形態＞
本実施形態では、リアベゼル１２０の他の変形例について説明する。第１から第４実施形態で述べた構造と同様、あるいは類似する構造については説明を割愛することがある。本実施形態では、リアベゼル１２０に設けられる突出部１２０ｇが底板１２０ｅと重ならない点で他の実施形態のリアベゼル１２０と構造が異なる。
【００７６】
図１７（Ａ）にリアベゼル１２０とフロントカバー１８０の模式的斜視図を、図１７（Ｂ）にリアベゼル１２０内に光拡散板１７０が配置された状態の模式的上面図を示す。図１７（Ａ）に示すように、本実施形態のリアベゼル１２０は、側板に切り欠き１２２や開口１２８は設けられず、互いに対向する少なくとも一対の側板に突出部１２０ｇが設けられる。突出部１２０ｇが設けられる側板では、突出部１２０ｇは側板の全体にわたって形成される。突出部１２０ｇは、その上面が底板１２０ｅの上面と平行、あるいは底板１２０ｅの上面に対して±３０°以下、±２０°以下、あるいは±１０°以下の角度で傾くよう設けられる。図１７（Ａ）に示すように、すべての側板に突出部１２０ｇを設けてもよく、あるいは図１８（Ａ）に示すように、互いに対向する一対の側板に突出部１２０ｇを設け、他の一対の側板には突出部１２０ｇを設けなくてもよい。すべての側板に突出部１２０ｇを設ける場合、突出部１２０ｇは、それぞれの側板に設けられる突出部１２０ｇの上面が同一平面内に存在するように形成してもよい。
【００７７】
図１７（Ｂ）の鎖線Ｊ−Ｊ´に沿った断面の模式図を図１８（Ｂ）に示す。図１８（Ｂ）に示すように、突出部１２０ｇは底板１２０ｅと重ならず、フロントカバー１８０の底板１８０ｅと重なる。光源基板１４０とその上に配置される複数の発光ダイオード１４２は、互いに対向する一対の突出部１２０ｇに挟まれるよう、底板１２０ｅ上に設けられる。光拡散板１７０やプリズムシート１７４、反射型偏光板１７６などは、突出部１２０ｇの上に、突出部１２０ｇと重なるように配置される（図１７（Ｂ）参照）。突出部１２０ｇは、高さｈ5（すなわち、底板１２０ｅの上面から突出部１２０ｇの上面までの距離）から光源基板の厚さを減じた値が１ｍｍ以上３ｍｍ以下、あるいは１．５ｍｍ以上２．５ｍｍ以下となるように構成される。このような構造を有するリアベゼル１２０も、金属プレートを切削加工、プレス加工することで作成することができる。
【００７８】
上述した構造によって光源基板１４０と光拡散板１７０との間に空隙１５０が形成され、発光ダイオード１４２からの光をこの空隙１５０内で広げることができる。この効果が光拡散板１７０による光の拡散の寄与とみ合わされることで、均一な輝度の光をプリズムシート１７４へ入射することができる。その結果、表示領域２０６に対して均一な輝度の光が提供され、表示装置１００は高品質な表示が可能となる。
【００７９】
＜第６実施形態＞
本実施形態では、リアベゼル１２０に突出部１２０ｇに替わってスペーサ１４８を配置する形態について説明する。第１から第５実施形態で述べた構造と同様、あるいは類似する構造については説明を割愛することがある。
【００８０】
図１９（Ａ）にリアベゼル１２０、およびリアベゼル１２０内に収容される少なくとも一つのスペーサ１４８の模式的斜視図を、図１９（Ｂ）に光源基板１４０と発光ダイオード１４２がさらに配置された状態の模式的上面図を示す。図２０（Ａ）は図１９（Ｂ）の鎖線Ｋ−Ｋ´に沿った断面の模式図である。上述したように光源装置１１０では、光拡散板１７０は発光ダイオード１４２から離隔するように配置され、このための構造としてスペーサ１４８がリアベゼル１２０内に配置される。
【００８１】
図１９（Ｂ）、図２０（Ａ）に示すように、スペーサ１４８はリアベゼル１２０の底板１２０ｅと光拡散板１７０の間に設けられ、スペーサ１４８の少なくとも一部が光拡散板１７０と重なる。光源基板１４０は、スペーサ１４８と重ならないように配置される。スペーサ１４８の数や配置に制約はなく、少なくとも一対のスペーサ１４８が光源基板１４０を挟むように配置されればよい。例えば互いに対向する一対の側板のそれぞれに沿って一つまたは複数のスペーサ１４８を配置することができる。あるいは一対の側板、および他の一対の側板に沿って一つまたは複数のスペーサ１４８を配置することができる。この場合、複数のスペーサ１４８によって光源基板１４０が挟まれる。
【００８２】
図２０（Ａ）に示すように、スペーサ１４８は断面が開いた形状であるＵ字形状を有しており、この形状の開口部が光源基板１４０に面するようにスペーサ１４８が配置される。図２０（Ａ）の領域１３０の拡大図（図２０（Ｂ）から図２０（Ｅ））に示すように、スペーサ１４８はリアベゼル１２０の底板１２０ｅや側板と接するように配置してもよく（図２０（Ｂ））、あるいは接着層１５８を介してリアベゼル１２０の底板１２０ｅに固定してもよい。スペーサ１４８は、光拡散板１７０が発光ダイオード１４２から離隔するようにその高さｈ6が調整される。具体的には、スペーサ１４８は、高さｈ6から光源基板の厚さを減じた値が１ｍｍ以上３ｍｍ以下、あるいは１．５ｍｍ以上２．５ｍｍ以下の範囲となるように構成される。
【００８３】
あるいは図２０（Ｄ）に示すように、スペーサ１４８はねじ１６０、あるいはねじ１６０とナット１６２を用いて底板１２０ｅに固定してもよい。あるいは底板１２０ｅに開口１６４を形成し、スペーサ１４８の一部が開口１６４を介して底板１２０ｅの底面上へ延伸するようにスペーサ１４８を配置してもよい。図示しないが、これらの固定方法、配置方法を適宜組み合わせてもよい。
【００８４】
スペーサ１４８を配置することで、光源基板１４０と光拡散板１７０との間に空隙１５０が形成され、この空隙１５０によって指向性の高い発光ダイオード１４２からの光を広げることができる。この効果が光拡散板１７０による光の拡散の寄与とみ合わされることで、均一な輝度の光をプリズムシート１７４へ入射することができる。その結果、表示領域２０６に対して均一な輝度の光が提供され、表示装置１００は高品質な表示が可能となる。
【００８５】
本発明の実施形態として上述した各実施形態は、相互に矛盾しない限りにおいて、適宜組み合わせて実施することができる。また、各実施形態の表示装置を基にして、当業者が適宜構成要素の追加、削除もしくは設計変更を行ったもの、または、工程の追加、省略もしくは条件変更を行ったものも、本発明の要旨を備えている限り、本発明の範囲に含まれる。
【００８６】
上述した各実施形態の態様によりもたらされる作用効果とは異なる他の作用効果であっても、本明細書の記載から明らかなもの、または、当業者において容易に予測し得るものについては、当然に本発明によりもたらされるものと解される。
【符号の説明】
【００８７】
１００：表示装置、１１０：光源装置、１２０：リアベゼル、１２０ａ：側板、１２０ｃ：側板、１２０ｄ：側板、１２０ｅ：底板、１２０ｆ：開口、１２０ｇ：突出部、１２０ｈ：フラップ、１２２：切り欠き、１２４：スリット、１２６：遮光膜、１２８：開口、１３０：領域、１３２：領域、１４０：光源基板、１４２：発光ダイオード、１４４：オーバーコート、１４８：スペーサ、１５０：空隙、１５２：接着層、１５４：接着層、１５６：緩衝材、１５８：接着層、１６２：ナット、１６４：開口、１７０：光拡散板、１７１：光拡散層、１７２：波長変換層、１７４：プリズムシート、１７６：反射型偏光板、１８０：フロントカバー、１８０ａ：側板、１８０ｂ：側板、１８０ｃ：側板、１８０ｅ：底板、１８０ｆ：開口、１８０ｇ：突出部、１８０ｈ：フラップ、２００：液晶表示モジュール、２０２：アレイ基板、２０４：画素、２０６：表示領域、２０８：走査線駆動回路、２１０：信号線駆動回路、２１２：端子、２１４：対向基板、２１６：偏光板、２１８：偏光板、２２０：タッチセンサ、２２２：第１のタッチ電極、２２４：第２のタッチ電極
【図１】
2020174011.tif 000003
【図２】
2020174011.tif 000004
【図３】
2020174011.tif 000005
【図４】
2020174011.tif 000006
【図５】
2020174011.tif 000007
【図６】
2020174011.tif 000008
【図７】
2020174011.tif 000009
【図８】
2020174011.tif 000010
【図９】
2020174011.tif 000011
【図１０】
2020174011.tif 000012
【図１１】
2020174011.tif 000013
【図１２】
2020174011.tif 000014
【図１３】
2020174011.tif 000015
【図１４】
2020174011.tif 000016
【図１５】
2020174011.tif 000017
【図１６】
2020174011.tif 000018
【図１７】
2020174011.tif 000019
【図１８】
2020174011.tif 000020
【図１９】
2020174011.tif 000021
【図２０】
2020174011.tif 000022